(57)【要約】【課題】簡易な構造により、ベースシートから不要部を剥離するときに、ラベル部の共上がりを効果的に抑制することができ、歩留まりの高い不要部の剥離を実現すること。【解決手段】ベースシートＳ１と、このベースシートＳ１に所定の粘着層Ｓ２を介して積層されたラベルシートＳ３とにより帯状シートＳが構成されている。ラベルシートＳ３は、閉ループ状の複数のラベルＬと、各ラベルＬの外側に位置する不要部Ｅとからなっている。ラベル共上がり防止装置１５は、ベースシートＳ１から不要部Ｅを剥離するときに、先端側がラベルＬに接触してラベルＬをベースシートＳ１側に押さえ付ける片部材２０を備えている。【選択図】　　　図１
2004142336.tif 000002
【特許請求の範囲】
【請求項１】
帯状のベースシートに所定の粘着層を介して積層されたラベルシートに切り込みを形成して複数の閉ループ状のラベルを形成し、前記ラベルとベースシートとの接着を維持しながら各ラベルの外側に位置する領域を不要部としてベースシートから剥離する際のラベル共上がり防止装置であって、
前記不要部をベースシートから剥離するときに、先端側がラベルに接触してラベルをベースシート側に押さえ付ける片部材を備えていることを特徴とするラベル共上がり防止装置。
【請求項２】
前記片部材は、ラベルシートの送り方向に沿うラベルの列毎に設けられていることを特徴とする請求項１記載のラベル共上がり防止装置。
【請求項３】
前記片部材は、その先端位置を調整可能に設けられていることを特徴とする請求項１又は２記載のラベル共上がり防止装置。
【発明の詳細な説明】
【０００１】
【発明の属する技術分野】
本発明は、ラベル共上がり防止装置に係り、更に詳しくは、ベースシートから不要部を剥がすときに、ラベルとベースシートとの接着を維持してラベルの共上がりを抑制することができるラベル共上がり防止装置の改良に関する。
【０００２】
【従来の技術】
従来より、多数枚のラベルを形成する場合、ダイカット装置を用いてラベルシートを多数の閉ループ状に切り込む手法が知られている。このラベルシートは、帯状の剥離紙からなるベースシートに粘着層を介して接着されており、各ラベルの外側に位置する不要部を不要部回収装置を介してベースシートから剥離し、ベースシート上にラベルだけが接着された状態として次工程に移送される。
【０００３】
しかしながら、このような不要部回収装置にあっては、不要部を剥がすときに、ラベルが不要部と共にベースシートから剥離する、いわゆる共上がりする現象を生じてしまい、ラベルの歩留まりを低下させてしまうという不都合がある。これは、ダイカット装置による切り込み後に、ラベル及び不要部の粘着層が相互に接着したり、不要部の剥離時に、ラベルの外周縁と不要部の内周縁が引っ掛かることに起因する。
【０００４】
ところで、ラベルの共上がりを防止する手法としては、特公平７−３７０８８号公報に開示される方法が存在する。同公報では、不要部の剥離時に、ラベルに圧搾空気を吹き付けてラベルをベースシート側に押さえ付ける手法が採用されている。
【０００５】
【特許文献１】
特公平７−３７０８８号公報
【０００６】
【発明が解決しようとする課題】
しかしながら、特公平７−３７０８８号公報に開示された手法では、圧搾空気を吹き付けるため、コンプレッサやノズル等により構造が複雑化するばかりでなく、装置全体の大型化を招来するという不都合を生じる。しかも、コンプレッサのメンテナンスが必要になる他、コンプレッサを作動させるための動力を供給しなければならず、結果として、製造コストの低減を図ることが困難になるという不都合を招来する。また、気体を利用してラベルの共上がりを抑制するので、ラベルに対して押さえ付け力を十分に付与することができず、共上がりを防止するには十分でなかった。従って、確実性を更に向上させた共上がりを防ぐ手法が望まれていた。
【０００７】
【発明の目的】
本発明は、このような不都合に着目して案出されたものであり、その目的は、簡易な構造により、ラベルの共上がりを効果的に抑制することができ、歩留まりの高い不要部の剥離を実現することができるラベル共上がり防止装置を提供することにある。
【０００８】
【課題を解決するための手段】
前記目的を達成するため、本発明は、帯状のベースシートに所定の粘着層を介して積層されたラベルシートに切り込みを形成して複数の閉ループ状のラベルを形成し、前記ラベルとベースシートとの接着を維持しながら各ラベルの外側に位置する領域を不要部としてベースシートから剥離する際のラベル共上がり防止装置であって、
前記不要部をベースシートから剥離するときに、先端側がラベルに接触してラベルをベースシート側に押さえ付ける片部材を備える、という構成を採っている。このような構成によれば、片部材を用いてラベルに直接押さえ付け力を付与できるので、簡易な構造によりラベルの共上がりを効果的且つ確実に抑制することができ、ひいては、ラベル製造の歩留まりを向上させて製品のコスト低減を図ることが可能となる。しかも、従来例に示されるような圧搾空気を用いないので、共上がり防止の確実性を高めることができるばかりでなく、装置の小型化を図ることができ、且つ、装置を作動させる動力も必要としない。
【０００９】
また、前記片部材は、ラベルシートの送り方向に沿うラベルの列毎に設けられる、という構成も併せて採用することができる。このように構成することで、ラベルが複数列形成されたラベルシートであっても、各列のラベルの共上がりを防止することができるラベルを量産する装置にも対応可能となる。
【００１０】
更に、前記片部材は、その先端位置を調整可能に設けられる、という構成を採ることが好ましい。このような構成によれば、ラベルの形成位置及び形状が変化した場合、或いは、ベースシートの送り方向が種々異なるタイプのラベル製造機であっても、これに容易に対応することができる他、ラベルに対する片部材の押さえ付け力を適宜調整することが可能となる。
【００１１】
なお、本明細書において、「閉ループ」とは、例えば、方形、矩形、円形、楕円形、長円形等、ラベルを形成する外周縁が一連に連なって囲まれた形状について用いられる。
【００１２】
【発明の実施の形態】
以下、本発明に係る実施の形態について図面を参照しながら説明する。
【００１３】
図１には、ラベル製造機における不要部回収装置の要部概略斜視図が示されている。また、図２には、図１の正面図が示され、図３には、図２のＡ−Ａ線矢視断面図が示されている。これらの図において、不要部回収装置１０は、相互に略平行に配置された一対の板からなるフレーム１１，１１と、これらフレーム１１，１１間に延びるとともに、図３中矢印Ｘ方向に送り出される帯状シートＳが掛け回されたローラ１２と、このローラ１２の軸線方向と略平行に延びる折り返しガイドとして作用するブレード１３と、このブレード１３とローラ１２との間に設置されたラベル共上がり防止装置１５と、ローラ１２の上方に位置するとともに、帯状シートＳの後述する不要部を巻き取る図示しない不要部巻き取りロールとを備えて構成されている。
【００１４】
前記帯状シートＳは、剥離紙からなるベースシートＳ１と、このベースシートＳ１に所定の粘着層Ｓ２（図３参照）を介して積層されたラベルシートＳ３とにより構成されている。ラベルシートＳ３の面内には、本実施形態では、平面視横長の略長円状をなす複数のラベルＬがラベルシートＳ３の送り方向（図３中矢印Ｘ方向）に沿って３列形成されている。各ラベルＬは、図示しない上流側のダイカット装置を用いてラベルシートＳ３及び粘着層Ｓ２を切り込むことにより形成されている。ここで、ラベルシートＳ３及び粘着層Ｓ２における各ラベルＬの外側に位置する領域、すなわち、ラベルシートＳ３及び粘着層Ｓ２のラベルＬ以外の領域を不要部Ｅとする。
【００１５】
前記ブレード１３は、横断面形状が下向き略三角形状（図３参照）に形成されるとともに、長手方向両端側で軸部材１３Ａを介して各フレーム１１，１１に跨るように支持されている。ブレード１３の図中下端部は、ローラ１２の外周面から若干離れた位置に配置されるとともに、ローラ１２に掛け回されるラベルシートＳ３の不要部Ｅを上方に折り返し可能に設けられている。
【００１６】
前記ラベル共上がり防止装置１５は、ローラ１２の上方位置における各フレーム１１，１１の内面側にスペーサ１７介して取り付けられているとともに、面内にスロット穴１８Ａを有する一対の支持プレート１８，１８と、これら支持プレート１８，１８間に延びる角柱状の渡設部材１９と、この渡設部材１９と前記ブレード１３との間に延びる三枚の細長い片部材２０とを備えて構成されている。各スロット穴１８Ａ，１８Ａ内には、渡設部材１９の長手方向両端部にねじ込まれるボルト２２，２２が挿通され、これにより、渡設部材１９がスロット穴１８Ａの延出方向に沿って移動できるようになっている。また、渡設部材１９は、長手方向に沿って所定間隔毎に形成された複数のねじ穴１９Ａを備えている。
【００１７】
前記片部材２０は、帯状シートＳの送り方向に沿うラベルＬの各列毎にそれぞれ配置されているとともに、ローラ１２の接線方向と略平行となる向きに設けられている。片部材２０の先端側（図２中下端側）は、不要部Ｅの剥離位置近傍のラベルＬに接触するとともに、ブレード１３の下端より突出する位置に設けられ、その突出幅Ｗは、特に限定されるものでないが、本実施形態では、数ｍｍ程度に設定されている。また、片部材２０の基端側（図２中上端側）には、当該片部材２０の長手方向に延びるスロット穴２０Ａが形成されている。スロット穴２０Ａ内には、前記ねじ穴１９Ａにねじ込まれるボルト２３が挿通されており、これにより、片部材２０が渡設部材１９に片持ち姿勢で支持されるようになっている。
【００１８】
以上の構成において、ベースシートＳ１から不要部Ｅを剥離する場合、先ず、ロール１２とブレード１３との間に帯状シートＳをセットし、当該帯状シートＳをロール１２に掛け回す。次に、帯状シートＳのリード端側に位置する不要部Ｅを強制的に剥がして図示しない不要部巻き取りロールに取り付けるとともに、不要部Ｅをブレード１３の下端位置で折り返す。そして、帯状シートＳを図３中矢印Ｘ方向に送り出すとともに、前記不要部巻き取りロールを所定方向に回転させることで、不要部ＥがベースシートＳ１から剥離されて不要部巻き取りロールに巻き取られ、ベースシートＳ１上にラベルＬだけが接着された状態となる。この際、片部材２０の先端側が不要部Ｅの剥離位置近傍のラベルＬに接触して当該ラベルＬをベースシートＳ１側に押さえ付けるので、ラベルＬが不要部Ｅと共にベースシートＳ１から剥離する、いわゆる共上がりすることが防止される。
【００１９】
また、片部材２０の先端位置を調整する場合、渡設部材１９を支持するボルト２２を緩め、支持プレート１８のスロット穴１８Ａに沿って移動させてボルト２２を締め直すことにより、帯状シートＳの図３中左右方向に沿う片部材２０の先端位置の調整が行われる。更に、片部材２０におけるロール１２の接線方向に沿う位置調整も行うことができ、この場合、片部材２０のスロット穴２０Ａ内のボルト２３を緩めた状態で、片部材２０をスロット穴２０Ａの延出方向に沿って移動させボルト２３を再度締め直す。
【００２０】
従って、このような実施形態によれば、不要部Ｅの剥離位置近傍のラベルＬに接触する片部材２０を設けたから、不要部Ｅの剥離時に、不要部Ｅの内周縁とラベルＬの外周縁が引っ掛かることを防止して、ラベルＬが不要部Ｅと共上がりすることを抑制することができる。また、支持プレート１８及び片部材２０にスロット穴１８Ａ，２０Ａを設け、片部材２０だけでなく渡設部材１９も移動可能な構成としたから、異なる二方向の位置調整を行うことができ、ラベルＬに対する片部材２０の押さえ付け力の調整をスムースに行うことが可能となる。
【００２１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
例えば、前記不要部Ｅの折り返しガイドをブレード１３により構成した場合を説明したが、これに代えて不要部Ｅを掛け回し可能なローラとしてもよい。
また、前記ラベルＬの列数、形成位置及び平面形状は、必要に応じて適宜変更してもよい。このとき、片部材２０の取付枚数を増減したり、図示された位置と異なるねじ穴１９Ａの位置で片部材２０を渡設部材１９に取り付けることにより、ラベルＬの形状変化等に対応することが可能となる。
【００２２】
更に、片部材２０の形状も図示例に限定されるものではなく、先端側が複数に分岐してベースシートＳ１の幅方向に沿う複数のラベルＬに接するようにしてもよい。
【００２３】
【発明の効果】
以上説明したように、本発明は、ベースシートから複数のラベルの外側に位置する不要部を剥離するときに、先端側がラベルに接触してラベルをベースシート側に押さえ付ける片部材を備えているから、簡易な構造により、ラベルとベースシートとの接着を維持してラベルの共上がりを効果的に防止することができ、ラベルの歩留まりを良好に保つことが可能となる。
【００２４】
また、片部材をラベルシートの送り方向に沿うラベルの列毎に設けた場合には、ラベルシートに複数列のラベルシートを形成しても、各列におけるラベルの共上がりを回避することができる。
【００２５】
更に、片部材の先端位置を調整可能な構成とした場合には、多様な態様をなすラベルの形成位置及び形状に難なく対応することができるばかりでなく、ラベルに対する押さえ付け力の調整を容易に行うことが可能となる。
【図面の簡単な説明】
【図１】本発明のラベル共上がり防止装置が適用された不要部回収装置の要部概略斜視図。
【図２】図１の正面図。
【図３】図２のＡ−Ａ線矢視断面図。
【符号の説明】
１５　ラベル共上がり防止装置
２０　片部材
Ｓ１　ベースシート
Ｓ２　粘着層
Ｓ３　ラベルシート
Ｌ　ラベル
Ｅ　不要部
【図１】
2004142336.tif 000003
【図２】
2004142336.tif 000004
【図３】
2004142336.tif 000005